【事件の表示】
　特願２００３−３１４１２９「被印刷体に画像を印刷する方法」拒絶査定不服審判事件〔平成１６年　４月　２日出願公開、特開２００４−　９８６８５〕について、次のとおり審決する。
【結　論】
　本件審判の請求は、成り立たない。
【理　由】
第１　手続の経緯
　本願は、平成１５年９月５日（パリ条約による優先権主張２００２年９月６日、ドイツ）の出願であって、平成２１年１月２１日付けで手続補正がなされ、同年５月１３日付けで拒絶査定がなされ、これに対して、同年９月２４日付けで拒絶査定不服審判の請求がなされ、その請求と同時に手続補正がなされ、当審において、平成２２年１１月２日付けで拒絶の理由（以下「当審拒絶理由」という。）の通知がなされ、平成２３年３月９日付けで手続補正がなされたものである。
　
第２　本願発明
　本願の請求項１及び２に係る発明（以下「本願発明１及び２」という。）は、平成２３年３月９日付けの手続補正により補正された明細書、特許請求の範囲及び図面の記載からみて、その特許請求の範囲の請求項１及び２にそれぞれ記載された事項によって特定される、次のとおりのものである。
　
　「【請求項１】
　被印刷体に画像を印刷する方法であって、
　個別に制御可能なＶＣＳＥＬ光源のアレイ（８４）の複数の画点（８１０）を用いてエネルギーを注入することによって流動性印刷インキの複数の部分を印刷インキ担体（１０）上に生成するステップと、
　前記の流動性の印刷インキを前記被印刷体（４１０）に転写するステップと、
　を有し、
　前記エネルギーは、前記印刷インキ担体（１０）の内部に配置された複数のＶＣＳＥＬバーの複数のサブアレイを含む前記アレイを有する装置によって生成され、前記印刷インキ担体（１０）は、回転軸と、前記ＶＣＳＥＬ光源の前記複数の画点を受け取る表面を有し、前記の複数の画点の列は、前記の複数のＶＣＳＥＬバーが同時に起動されたとき、前記回転軸線に対して傾いており、
　前記の複数の部分が、エネルギー注入によって加熱された凹部（５２）の容積部が冷却するときに流動体の印刷インキ（５１０）が前記凹部（５２）に点ごとに吸い込まれることによって生成され、前記の流動性の印刷インキ（５１０）が前記被印刷体（５１６）に転写される、
　被印刷体に画像を印刷する方法。
　　【請求項２】
　被印刷体に画像を印刷する方法であって、
　個別に制御可能なＶＣＳＥＬ光源のアレイ（８４）の複数の画点（８１０）を用いてエネルギーを注入することによって流動性印刷インキの複数の部分を印刷インキ担体（１０）上に生成するステップと、
　前記の流動性の印刷インキを前記被印刷体（４１０）に転写するステップと、
　を有し、
　前記エネルギーは、前記印刷インキ担体（１０）の内部に配置された複数のＶＣＳＥＬバーの複数のサブアレイを含む前記アレイを有する装置によって生成され、前記印刷インキ担体（１０）は、回転軸と、前記ＶＣＳＥＬ光源の前記複数の画点を受け取る表面を有し、前記の複数の画点の列は、前記の複数のＶＣＳＥＬバーが同時に起動されたとき、前記回転軸線に対して傾いており、
　流動性の印刷インキの前記複数の部分が、前記印刷インキ担体（１０）にある凹部（７２）からの追い出しによって生成される、
　被印刷体に画像を印刷する方法。」
　
第３　引用刊行物及び引用発明
１　当審拒絶理由に引用された、本願の優先日前に頒布された刊行物である国際公開第００／４０４２３号（以下「引用例１」という。）には、次の事項が図とともに記載されている（下線は審決で付した。以下同じ。）。
　
（１）「
」（請求の範囲３１）
（審決訳：
自由に流動する印刷インキを版から被印刷体に転写する方法において
　
版の表面の開口部に連通するキャビティに印刷インキを吸い込み、このとき印刷インキは開口部の内部、かつ前記キャビティの開口部付近の領域にあり
　
印刷インキを前記キャビティから被印刷体へと排出する、自由に流動する印刷インキを版から被印刷体に転写する方法
　
（２）「
」（１０頁１１行〜１１頁２７行）
（審決訳：図１には平坦な版の実施形態、図２には湾曲した版の実施形態が描かれている。版の湾曲している部分は、中空胴の形態の版の一部であってもよい。この
版は
中空胴の外面に刻まれた、開口部１の網目を備え
開口部１の背後には、それぞれキャビティ２が配置されている。それぞれのキャビティ２は開口部１しか有しておらず、すなわち版の表面に向かってしか開いていない。開口部には、印刷インキを吸引することができる。キャビティ２のそれぞれ一方の側は、熱伝導性の優れた材料からなる栓３によって構成されている。栓３による熱伝導は、たとえばレーザ光の吸収によって印加された栓３の熱エネルギーが、熱伝導によってキャビティ２の充填ガスに伝えられるように作用する。レーザ光の照射は、それぞれ個々の開口部に付属する窪み４で行われる。充填ガスを冷却するために、ガス噴射を窪みに向けることができる。個々の開口部１、キャビティ２、栓３、および窪み４は、異なる開口部１、キャビティ２、栓３、および窪み４の間の必要な熱的な絶縁をもたらす母型５に埋設されている
　図３には印刷装置の実施形態が示されている。
版６は
中空胴であり、中空洞の外面にインキを着けるための開口部１を有し
加熱バー７と冷却バー８は、中空胴の内側に配置され
加熱バーと冷却バーは版６の長さ全体にわたって延びており、版６のキャビティの加熱と冷却を可能にする。版は
軸１０を中心に回転する
加熱バー７には、版６にあるキャビティ２を、印刷されるべき図柄に応じて加熱する役目があり
常に版６のストライプ状の領域だけが加熱バー７の下に位置している。加熱バー７は、印刷されるべき図柄に合わせてレーザ光を誘導する装置を含んでいる。窪み４でレーザ光が吸収されて熱エネルギーに変換され、それによって最終的に充填ガスが加熱される。レーザ光は、外部に配置されたレーザ１１から、光ファイバ１２を通じて加熱バー７に誘導される。版の個々の窪みにレーザ光を誘導するための制御信号は、外部の装置１３で前処理され、ケーブル１４を介して加熱バー７へと伝えられる。版６は、軸１０を中心とする回転によって、加熱バー７のそばを通過する。キャビティ２が加熱バー７のそばを通過した後、版の外側表面が印刷インキ１５に浸けられることによって、付属の開口部１が印刷インキ１５で覆われる。印刷インキ１５は、版６の下側にある水槽１６の中にある。開口部が浸けられて覆われると同時に、キャビティは冷却バー８によって冷却される。冷却バー８は版６の一筋を覆っており、
冷却により、予め加熱されていたキャビティ内のガス圧が低下し、それによって印刷インキが開口部に押し込まれる
　
（３）上記（１）及び（２）から、引用例１には、次の発明（以下「引用発明１」という。）が記載されていると認められる。
　
「自由に流動する印刷インキを版から被印刷体に転写する方法であって、版の表面の開口部に連通するキャビティに印刷インキを吸い込み、このとき印刷インキは開口部の内部、かつ前記キャビティの開口部付近の領域にあり、印刷インキを前記キャビティから被印刷体へと排出する、自由に流動する印刷インキを版から被印刷体に転写する方法において、
　前記版は、軸を中心に回転する中空胴であり、中空胴の外面に刻まれた開口部の網目を備え、開口部の背後には、それぞれキャビティが配置されており、それぞれのキャビティは開口部しか有しておらず、すなわち版の表面に向かってしか開いておらず、開口部には、印刷インキを吸引することができ、キャビティのそれぞれ一方の側は、熱伝導性の優れた材料からなる栓によって構成されており、栓による熱伝導は、レーザ光の吸収によって印加された栓の熱エネルギーが、熱伝導によってキャビティの充填ガスに伝えられるように作用し、レーザ光の照射は、それぞれ個々の開口部に付属する窪みで行われ、充填ガスを冷却するために、ガス噴射を窪みに向けることができ、個々の開口部、キャビティ、栓及び窪みは、異なる開口部、キャビティ、栓及び窪みの間の必要な熱的な絶縁をもたらす母型に埋設されており、
　前記中空胴の内側には、加熱バーと冷却バーが配置されており、加熱バーと冷却バーは版の長さ全体にわたって延びており、版のキャビティの加熱と冷却を可能にするものであり、加熱バーは、版にあるキャビティを、印刷されるべき図柄に応じて加熱するものであり、常に版のストライプ状の領域だけが加熱バーの下に位置しており、加熱バーは、印刷されるべき図柄に合わせてレーザ光を誘導する装置を含んでおり、窪みでレーザ光が吸収されて熱エネルギーに変換され、それによって最終的に充填ガスが加熱され、レーザ光は、外部に配置されたレーザから、光ファイバを通じて加熱バーに誘導されるものであり、版の個々の窪みにレーザ光を誘導するための制御信号が、外部の装置で前処理され、ケーブルを介して加熱バーへと伝えられ、版は、軸を中心とする回転によって、加熱バーのそばを通過し、キャビティが加熱バーのそばを通過した後、版の外側表面が、版の下側にある水槽の中にある印刷インキに浸けられることによって、付属の開口部が印刷インキで覆われると同時に、キャビティは、版の一筋を覆っている冷却バーによって冷却され、冷却により、予め加熱されていたキャビティ内のガス圧が低下し、それによって印刷インキが開口部に押し込まれる、
　方法。」
　
２　当審拒絶理由に引用された、本願の優先日前に頒布された刊行物である特開昭６１−１１８２７３号公報（以下「引用例２」という。）には、次の事項が図とともに記載されている。
　
（１）「２．発明の詳細な説明
　ａ産業上の利用分野
　本発明はレーザー式インクジエツトプリンタに関し、特に、
多数の凹部内に保持されたインクをレーザービーム加熱により噴射させて印刷を行う
方式
　
（２）「ｆ実施例
　以下、図面と共に本発明によるレーザー式インクジエツトプリンタについて詳細に説明する。
　第１図（審決注：「第」の略字は正字として摘記した。以下同じ。）において、符号１で示されるものは
全体が円筒状をなすと共にその表面に多数のインク保持凹部２を有するインク保持部材
インク保持部材ｌの下部位置に配設されたインク容器３
　前記インク保持凹部２の直径は約１０ミクロンから２００ミクロン程度の大きさのものが好適であると共に、前記インク保持部材１の材質は耐熱ガラスで構成すると好適である。さらに、前記
インク容器３内のインク４内には、前記インク保持部材１が浸漬された状態で保持されており、前記インク保持部材１が矢印Ａの方向に回転することにより各インク保持凹部２内にインク４が保持され、
　さらに、
前記インク保持部材１内の空隙部７内にはレーザービーム回転ミラー８がモータ９によつて回転可能に配設されており、レーザー光源８ａからのレーザービームはこのレーザービーム回転ミラー８により反射されて前記各インク保持凹部２の裏面１０に照射され
　又、前記インク保持部材１の上方位置には矢印Ｂの方向に回転自在に配設された印字ドラム１１が設けられており、この印字ドラムの外周面には印刷紙１２が巻回して接合されている。
　前記印字ドラム１１は、第１図に示されるように、矢印Ｂの方向に回転可能に配設されていると共に、矢印Ｃの方向、すなわち、軸方向にも移動自在に設けられており、矢印Ｂおよび矢印Ｃの方向に回転及び移動を行うことにより印刷紙１２上に印刷が行われるものである。
　尚、前記インク容器３は第１図及び第３図に示されるように、その上面部３ａは前記インク保持部材１の外周面形状に合わせて円弧状に凹形状をなすと共に、４個の部屋に分けられており、全部同色又は各々異なる色のインク４を収納することが出来る。
　第４図のＡ、Ｂは本発明によるレーザー式インクジエツトプリンタの印字原理を示すもので、第４図のＡは、インク保持部材１の１個の
インク保持凹部２に対応してレーザービームを照射し、インク４を印刷紙１２面上に噴射させて印刷を行う
　
（３）レーザー式インクジエツトプリンタの正面図である第１図、及び、この第１図の側断面図である第２図から、
矢印Ａの方向は、円筒状のインク保持部材１の周方向である
　
（４）上記（１）ないし（３）から、引用例２には、次の発明（以下「引用発明２」という。）が記載されていると認められる。
　
「多数の凹部内に保持されたインクをレーザービーム加熱により印刷紙面上に噴射して印刷を行う方法であって、
　前記凹部は、全体が円筒状をなすインク保持部材の表面に設られており、該インク保持部材内の空隙部内にはレーザービーム回転ミラーがモータによって回転可能に配設されており、
　前記インク保持部材をその周方向に回転することにより前記各凹部内にインクを保持し、レーザー光源からのレーザービームを前記レーザービーム回転ミラーにより反射して前記各凹部の裏面に照射する、
　方法。」
　
第４　対比・判断
１　本願発明１について
（１）対比
　本願発明１と引用発明１とを対比する。
　ア　引用発明１の「自由に流動する印刷インキ」、「『版の表面に向かってしか開いて』いない『キャビティ』」、「『印刷インキを吸い込』む『キャビティ』を有する『版』」、「印刷インキを版から被印刷体に転写する方法」、「熱エネルギー」、「外部に配置されたレーザ」及び「『印刷されるべき図柄に合わせ』て『窪み』に『誘導』された『レーザ光』」は、それぞれ、本願発明１の「流動性印刷インキ」、「凹部」、「印刷インキ担体」、「被印刷体に画像を印刷する方法」、「エネルギー」、「光源」及び「画点」に相当する。
　
　イ　引用発明１において、加熱バーは、「印刷インキ担体（版）」にある「凹部（キャビティ）」を、印刷されるべき図柄に応じて加熱するものであり、印刷されるべき図柄に合わせてレーザ光を誘導する装置を含んでおり、窪みで「画点（レーザ光）」が吸収されて「エネルギー（熱エネルギー）」に変換され、それによって最終的に充填ガスが加熱され、レーザ光は、外部に配置された「光源（レーザ）」から、光ファイバを通じて加熱バーに誘導されるものであり、「印刷インキ担体」の個々の窪みにレーザ光を誘導するための制御信号が、外部の装置で前処理され、ケーブルを介して加熱バーへと伝えられ、「印刷インキ担体」は、軸を中心とする回転によって、加熱バーのそばを通過し、「凹部」が加熱バーのそばを通過した後、「印刷インキ担体」の外側表面が、「印刷インキ担体」の下側にある水槽の中にある「流動性印刷インキ（印刷インキ）」に浸けられることによって、付属の開口部が「流動性印刷インキ」で覆われると同時に、「凹部」は、「印刷インキ担体」の一筋を覆っている冷却バーによって冷却され、冷却により、予め加熱されていた「凹部」内のガス圧が低下し、それによって「流動性印刷インキ」が開口部に押し込まれるから、引用発明１は、本願発明１の「流動性印刷インキの複数の部分を印刷インキ担体上に生成するステップ」を備えており、このステップと本願発明１の「個別に制御可能なＶＣＳＥＬ光源のアレイの複数の画点を用いてエネルギーを注入することによって流動性印刷インキの複数の部分を印刷インキ担体上に生成するステップ」とは、「レーザ光源の画点を用いてエネルギーを注入することによって流動性印刷インキの複数の部分を印刷インキ担体上に生成するステップ」である点で一致するといえる。
　
　ウ　引用発明１は、「流動性印刷インキ（自由に流動する印刷インキ）」を版から被印刷体に転写する方法であるから、本願発明１の「流動性の印刷インキを被印刷体に転写するステップ」を備えており、このことと上記イとから、引用発明１の「流動性印刷インキの複数の部分」と本願発明１の「流動性印刷インキの複数の部分」とは、「エネルギー注入によって加熱された凹部の容積部が冷却するときに流動体の印刷インキが前記凹部に点ごとに吸い込まれることによって生成され、前記の流動性の印刷インキが被印刷体に転写される」ものである点で一致する。
　
　エ　引用発明１において、加熱バーは、軸を中心に回転する中空胴である「印刷インキ担体（版）」の内側に配置され、印刷されるべき図柄に合わせてレーザ光を誘導する装置を含んでいるものであり、「印刷インキ担体」の窪みで「画点（レーザ光）」が吸収されて「エネルギー（熱エネルギー）」に変換されるから、引用発明１の「加熱バー」と本願発明１の「『印刷インキ担体の内部に配置された複数のＶＣＳＥＬバーの複数のサブアレイを含むアレイ』を有し、『エネルギー」を『生成』する『装置』」とは、「印刷インキ担体の内部に配置されたレーザ光照射手段を有し、エネルギーを生成する装置」である点で一致するといえ、引用発明１の「印刷インキ担体」と本願発明１の「印刷インキ担体」とは、「回転軸と、レーザ光源の画点を受け取る表面を有」するものである点で一致する。
　
　オ　上記アないしエから、本願発明１と引用発明１とは、
「被印刷体に画像を印刷する方法であって、
　レーザ光源の画点を用いてエネルギーを注入することによって流動性印刷インキの複数の部分を印刷インキ担体上に生成するステップと、
　前記の流動性の印刷インキを前記被印刷体に転写するステップと、
　を有し、
　前記エネルギーは、前記印刷インキ担体の内部に配置されたレーザ光照射手段を有する装置によって生成され、前記印刷インキ担体は、回転軸と、前記レーザ光源の前記画点を受け取る表面を有し、
　前記の複数の部分が、エネルギー注入によって加熱された凹部の容積部が冷却するときに流動体の印刷インキが前記凹部に点ごとに吸い込まれることによって生成され、前記の流動性の印刷インキが前記被印刷体に転写される、
　被印刷体に画像を印刷する方法。」
である点で一致し、次の点で相違する。
　
相違点１：
　本願発明１では、前記レーザ光照射手段が「『複数のＶＣＳＥＬバーの複数のサブアレイを含』み、『個別に制御可能なＶＣＳＥＬ光源のアレイ』」であり、前記画点が「複数の」ものであり、この複数の画点の列が「複数のＶＣＳＥＬバーが同時に起動されたとき、前記回転軸線に対して傾いて」いるものであるのに対して、
　引用発明１では、前記レーザ光照射手段、前記画点の個数及び前記画点の配置がいずれも明らかでない点。
　
（２）判断
　上記相違点１について検討する。
　ア　レーザ光を熱エネルギに変換して用いるプリンタ装置において、複数のレーザアレーが設けられたマルチビームアレイを複数設けたラインヘッドを用い、プリンタ装置のプリント速度を高速化することは、本願の優先日前に周知である（以下「周知技術１」という。例．特開平６−１９８９２２号公報（【００２０】〜【００２４】、図１及び図２参照。）、特開平６−１９８９２３号公報（【００１８】〜【００２５】、図１及び図２参照。））。ここで、前記各レーザアレイが個別に駆動制御可能であることは、当業者に自明である。
　
　イ　記録素子を傾斜して配列し、解像度を高くしたプリンタヘッドは、本願の優先日前に周知である（以下「周知技術２」という。例．特開２００２−１９１７７号公報（【００３９】、図４及び図７参照。）、特開平８−３１８６４０号公報（【００２９】及び図９参照。））。
　
　ウ　ＶＣＳＥＬは、本願の優先日前に周知である（以下「周知技術３」という。例．上記特開２００２−１９１７７号公報（【００４０】参照。）、上記特開平８−３１８６４０号公報（【０００１】参照。））。
　
　エ　上記アないしウから、引用発明１において、印刷速度を高速化するために、加熱バーとして、個別に駆動制御可能な複数のレーザアレーが設けられたマルチビームアレイを複数設けたラインヘッドを用いるとともに、このラインヘッドの解像度を高くするために、前記レーザアレーを版の回転軸に対して傾斜したものとし、かつ、前記レーザアレーとしてＶＣＳＥＬを用いることは、当業者が周知技術１ないし３に基づいて容易に想到し得た程度のことである。
　
　オ　上記エの「『個別に駆動制御可能な複数のレーザアレー』としての『ＶＣＳＥＬ』がそれぞれ設けられた『複数』の『マルチビームアレイ』」は、本願発明１の「『複数のＶＣＳＥＬバーの複数のサブアレイ』を含む『個別に制御可能なＶＣＳＥＬ光源のアレイ』」に相当する。
　また、上記エの「『版の回転軸に対して傾斜』した『複数のレーザアレー』としての『ＶＣＳＥＬ』」を同時に点灯したときの画点が、前記回転軸に対して傾斜した複数の画点からなる列をなすことは明らかであり、この列は、本願発明１の「『複数のＶＣＳＥＬバーが同時に起動されたとき、回転軸線に対して傾いて』いる『列』」に相当する。
　
　カ　上記エ及びオから、引用発明１において、上記相違点１に係る本願発明１の構成となすことは、当業者が周知技術１ないし３に基づいて容易になし得た程度のことである。
　
　キ　効果について
　本願発明１の奏する効果は、当業者が、引用発明１の奏する効果及び周知技術１ないし３それぞれの奏する効果から予測し得た程度のものである。
　
　ク　まとめ
　したがって、本願発明１は、当業者が、引用例１に記載された発明及び周知技術１ないし３に基づいて容易に発明をすることができたものである。
　
２　本願発明２について
（１）対比
　本願発明２と引用発明２とを対比する。
　ア　引用発明２の「印刷紙」、「インク」、「インクをレーザービーム加熱により印刷紙面上に噴射させて印刷を行う方法」、「インク保持部材」、
「インク保持部材の表面に設けられた凹部」、「インク保持部材内の空隙部」、「レーザー光源」及び「『凹部の裏面に照射され』た『レーザー光源からのレーザービーム』」は、それぞれ、本願発明２の「被印刷体」、「印刷インキ」、「被印刷体に画像を印刷する方法」、「印刷インキ担体」、「印刷インキ担体にある凹部」、「印刷インキ担体の内部」、「レーザ光源」及び「画点」に相当する。
　
　イ　引用発明２は、「印刷インキ担体（インク保持部材）」の表面に設けられた「凹部」内に「印刷インキ（インク）」を保持し、「レーザ光源（レーザー光源）」からの「画点（レーザービーム）」をレーザービーム回転ミラーにより反射して前記各「凹部」の裏面に照射し、「印刷インキ」をレーザービーム加熱により印刷紙面上に噴射させて印刷を行う方法であるから、引用発明２は、本願発明２の「流動性印刷インキの複数の部分を印刷インキ担体上に生成するステップ」を備えており、このステップと本願発明２の「個別に制御可能なＶＣＳＥＬ光源のアレイの複数の画点を用いてエネルギーを注入することによって流動性印刷インキの複数の部分を印刷インキ担体上に生成するステップ」とは、「レーザ光源の画点を用いてエネルギーを注入することによって流動性印刷インキの複数の部分を印刷インキ担体上に生成するステップ」である点で一致するといえるとともに、「流動性の印刷インキの前記複数の部分が、前記印刷インキ担体にある凹部からの追い出しによって生成される」点でも一致する。
　
　ウ　引用発明２は、「印刷インキ」をレーザービーム加熱により「被印刷体（印刷紙）」面上に噴射させて印刷を行う方法であるから、本願発明２の「流動性の印刷インキを前記被印刷体に転写するステップ」を備えているといえる。
　
　エ　引用発明２は、「印刷インキ担体（インク保持部材）」内の空隙部内にはレーザービーム回転ミラーがモータによって回転可能に配設されており、「印刷インキ担体」をその周方向に回転することにより「印刷インキ担体」の「凹部」内に「印刷インキ（インク）」を保持し、「レーザ光源（レーザー光源）」からの「画点（レーザービーム）」をレーザービーム回転ミラーにより反射して前記各「凹部」の裏面に照射する方法であるから、引用発明２の「レーザービーム回転ミラー」と本願発明２の「『印刷インキ担体の内部に配置された複数のＶＣＳＥＬバーの複数のサブアレイを含むアレイ』を有し、『エネルギー」を『生成』する『装置』」とは、「印刷インキ担体の内部に配置されたレーザ光照射手段を有し、エネルギーを生成する装置」である点で一致するといえ、引用発明２の「印刷インキ担体」と本願発明２の「印刷インキ担体」とは、「回転軸と、レーザ光源の画点を受け取る表面を有」するものである点で一致する。
　
　オ　上記アないしエから、本願発明２と引用発明２とは、
「被印刷体に画像を印刷する方法であって、
　レーザ光源の画点を用いてエネルギーを注入することによって流動性印刷インキの複数の部分を印刷インキ担体上に生成するステップと、
　前記の流動性の印刷インキを前記被印刷体に転写するステップと、
　を有し、
　前記エネルギーは、前記印刷インキ担体の内部に配置されたレーザ光照射手段を有する装置によって生成され、前記印刷インキ担体は、回転軸と、前記レーザ光源の前記画点を受け取る表面を有し、
　流動性の印刷インキの前記複数の部分が、前記印刷インキ担体にある凹部からの追い出しによって生成される、
　被印刷体に画像を印刷する方法。」
である点で一致し、次の点で相違する。
　
相違点２：
　本願発明２では、前記レーザ光照射手段が「『複数のＶＣＳＥＬバーの複数のサブアレイを含』み、『個別に制御可能なＶＣＳＥＬ光源のアレイ』」であり、前記画点が「複数の」ものであり、この複数の画点の列が「複数のＶＣＳＥＬバーが同時に起動されたとき、前記回転軸線に対して傾いて」いるものであるのに対して、
　引用発明２では、前記レーザ光照射手段が「レーザービーム回転ミラー」であり、前記画点の個数及び配置がいずれも明らかでない点。
　
（２）判断
　上記相違点２について検討する。
　上記１（２）に記載した理由と同様の理由により、引用発明２において、印刷速度を高速化するために、レーザービーム回転ミラーに代えて、個別に駆動制御可能な複数のレーザアレーが設けられたマルチビームアレイを複数設けたラインヘッドを用いるとともに、このラインヘッドの解像度を高くするために、前記レーザアレーをインク保持部材の回転軸に対して傾斜したものとし、かつ、前記レーザアレーとしてＶＣＳＥＬを用い、上記相違点２に係る本願発明２の構成となすことは、当業者が周知技術１ないし３に基づいて容易になし得た程度のことである。
　また、本願発明２の奏する効果は、当業者が、引用発明２の奏する効果及び周知技術１ないし３それぞれの奏する効果から予測し得た程度のものである。
　したがって、本願発明２は、当業者が、引用例２に記載された発明及び周知技術１ないし３に基づいて容易に発明をすることができたものである。
　
第５　むすび
　以上のとおり、本願の請求項１及び２に係る発明は、当業者が、引用例１に記載された発明、引用例２に記載された発明、周知技術１、周知技術２及び周知技術３に基づいて容易に発明をすることができたものであるから、特許法第２９条第２項の規定により特許を受けることができない。
　よって、結論のとおり審決する。